(57)【要約】【課題】  男性器の根元部から亀頭基部の括れ部までの間の任意の位置に装着しても違和感がなく、男性器を全体的に長さや太さを向上させるとともに仮性包茎の矯正や男性器の衛生面向上を図った男性器装着リングを提供する。【解決手段】  横断面円形のリング状で内径φが１０．０ｍｍ≦φ≦５０．０ｍｍの範囲に設定されるとともに横断面の直径Ｄが１．０ｍｍ≦Ｄ≦６．０ｍｍの範囲に設定された弾性変形可能に形成され、男性器の根元部から亀頭基部の括れ部までの間に嵌着されて男性器を弾性力で締め付け可能に構成した。【選択図】図１
2011240065.tif 000002
【特許請求の範囲】
【請求項１】
横断面円形のリング状で弾性変形可能に形成され男性器の根元部から亀頭基部の括れ部までの間に嵌着されて該男性器を弾性力で締め付け可能にしたことを特徴とする男性器装着リング。
【請求項２】
内径φを１０．０ｍｍ≦φ≦５０．０ｍｍの範囲に設定したことを特徴とする請求項１記載の男性器装着リング。
【請求項３】
上記横断面の直径Ｄを１．０ｍｍ≦Ｄ≦６．０ｍｍの範囲に設定したことを特徴とする請求項１または２記載の男性器装着リング。
【請求項４】
ニトリルゴム，シリコンゴム，フッ素ゴム，スチレンブタジエンゴムの少なくとも何れかから選択される材質で構成したことを特徴とする請求項１乃至３何れかに記載の男性器装着リング。
【発明の詳細な説明】
【技術分野】
【０００１】
本発明は、男性器に装着され、例えば、男性器の長さや太さの向上、仮性包茎の矯正や男性器の衛生面向上等の効果を奏するリング状の男性器装着リングに関する。
【背景技術】
【０００２】
従来、この種の男性器装着リングとしては、例えば、特許文献１（特開２００４−８１２２９号公報）に記載されたものが知られている。
図４に示すように、この男性器装着リングＳａは、男性器１００の亀頭基部と包皮１０１の間の括れ部１０２に装着される弾性のリング本体１１０と、リング本体１１０の外周に沿って延在させた弾性のフランジ部１２０とを備えて構成されている。このリング本体１１０とフランジ部１２０とは同一素材で一体形成されている。
リング本体１１０の内径は２４．０ｍｍ〜２５．０ｍｍの範囲に設定されている。
フランジ部１２０は、横断面三角形状に形成され、リング本体１１０の外周からリング本体１１０の軸方向に円錐状に延在する外側面１２１と、リング本体１１０の外周からリング本体１１０の半径方向外方に延在する内側面１２２とを有して形成されている。また、このフランジ部１２０は、その外径が３４．５ｍｍ〜３５．５ｍｍの範囲に設定されている。
【０００３】
この男性器装着リングＳａを男性器１００に装着するときは、男性器１００が通常時（非勃起時）のときに、手でリング本体１１０を若干拡径させ、亀頭１０３側から挿通させて括れ部１０２に装着する。このとき、男性器１００が仮性包茎の場合は手で亀頭１０３を覆う包皮１０１を根元部１０４側に移動させてから装着する。この装着においては、フランジ部１２０の外側面１２１が亀頭１０３側に向くように装着する。
この場合、男性器装着リングＳａが括れ部１０２を締め付けるようになるので、手で外さない限り容易に外れることがなく、そのため、常時装着しておくことができる。また、フランジ部１２０の外側面１２１を亀頭１０３側に向けることで内側面１２２が包皮１０１の先端部１０１ａと対向するので、包皮１０１の余剰部分がフランジ部１２０を乗り越えて亀頭１０３側に移動するのを阻止して仮性包茎を矯正することが可能となる。更に、包皮１０１が亀頭１０３側に移動するのを阻止するので、包皮１０１と亀頭１０３との接触が回避され、亀頭１０３が常時露出した状態になるので、括れ部１０２に溜まる汗や尿の量が低減される。そのため、括れ部１０２での細菌増殖や悪臭発生を軽減させることができ、それだけ、男性器１００を清潔に維持することができる。
【先行技術文献】
【特許文献】
【０００４】
【特許文献１】特開２００４−８１２２９号公報
【発明の概要】
【発明が解決しようとする課題】
【０００５】
しかしながら、この従来の男性器装着リングＳａにおいては、男性器１００の括れ部１０２に装着されるので、括れ部１０２が締め付けられて血流が変化することにより亀頭を大きくすることはできるが、男性器１００の根元部１０４から亀頭基部の括れ部１０２までは血流が変化しないので、男性器１００を全体的に長さや太さを向上させにくいという問題があった。
これを解消するために、この従来の男性器装着リングＳａを男性器１００の根元部１０４に装着することも考えられるが、リング本体１１０とフランジ部１２０とが一体形成されているので、男性器１００の括れ部１０２に装着したときにはフランジ部１２０が下着等に接触しても抵抗が小さくなるので装着時の違和感があまりないが、男性器１００の根元部１０４から亀頭基部の括れ部１０２までの間の任意の位置に装着すると、フランジ部１２０が下着等に接触した際の抵抗が大きく、装着時に違和感があり、そのため、男性器１００の括れ部１０２以外に装着するには適さない。
【０００６】
本発明は、このような問題点に鑑みてなされたもので、男性器の根元部から亀頭基部の括れ部までの間の任意の位置に装着しても違和感がなく、男性器を全体的に長さや太さを向上させるとともに仮性包茎の矯正や男性器の衛生面向上を図った男性器装着リングを提供することを目的とする。
【課題を解決するための手段】
【０００７】
このような目的を達成するため、本発明の男性器装着リングは、横断面円形のリング状で弾性変形可能に形成され男性器の根元部から亀頭基部の括れ部までの間に嵌着されて該男性器を弾性力で締め付け可能にした構成としている。
【０００８】
これにより、この男性器装着リングを男性器に装着するときは、男性器が通常時（非勃起時）のときに、男性器の太さに対応した内径のリングを手で若干拡径させて亀頭側から挿通させ、男性器の根元部から亀頭基部の括れ部までの間の任意の位置に嵌着させて装着する。このとき、男性器が仮性包茎の場合は手で亀頭を覆う包皮を根元部側に移動させてから装着する。また、リングは通常時の男性器の太さより内径が若干小さいものを使用することが望ましい。
装着するリングの数は任意であり、１つでも良いし複数装着しても良い。複数装着する場合は、男性器の根元部から亀頭基部の括れ部までの間であれば、どの位置に幾つのリングを装着しても良い。
【０００９】
この場合、男性器装着リングが男性器を適度な弾性力で締め付けるようになるので、手で外さない限り容易に外れることがなく、そのため、常時装着しておくことができる。また、横断面円形なので、リングが下着等に接触しても抵抗が小さく、そのため、男性器の根元部から亀頭基部の括れ部までの間の任意の位置に装着しても装着時に違和感があまりない。更に、リングを括れ部に装着すると包皮の余剰部分がリングを乗り越えて亀頭側に移動するのを阻止するので仮性包茎を矯正することが可能となる。即ち、リングを常時装着しておくだけで、手術をしなくても仮性包茎を矯正することができる。
更に、包皮が亀頭側に移動するのを阻止するので、包皮と亀頭との接触が回避され、亀頭が常時露出した状態になるので、括れ部に溜まる汗や尿の量が低減される。そのため、括れ部での細菌増殖や悪臭発生を軽減させることができ、それだけ、男性器を清潔に維持することができる。
【００１０】
また、男性器の根元部から亀頭基部の括れ部までの間の任意の位置に装着リングを違和感なく装着することができることから、男性器を常時適度に締め付けて男性器の血流を変化させることができ、そのため、男性器を全体的に長さや太さの向上を図ることができる。特に、男性器の根元部近傍に装着すると、男性器全体の血流を変化させることができるので、より一層、男性器を全体的に長さや太さの向上を図ることができる。また、装着した位置より亀頭側の血流が変化することから、装着する位置を調節することによって男性器を所望の長さや太さにすることができる。
【００１１】
更にまた、男性器の血流が変化するので、男性器の勃起時の固さを向上させることができる。また、男性器を適度な弾性力で締め付けるので、性交時の早漏等を改善することができる。更に、性交時には男性器に装着したリングが女性器に接触して刺激するので女性に性的快感を与えることができる。
【００１２】
そして、必要に応じ、内径φを１０．０ｍｍ≦φ≦５０．０ｍｍの範囲に設定した構成としている。望ましくは、内径φを１５．０ｍｍ≦φ≦３５．０ｍｍに設定している。
装着者によって男性器の太さが異なるが、リングの内径φを上記の範囲に設定することにより、装着者の男性器に対応した内径のリングを選択することができる。
【００１３】
また、必要に応じ、上記横断面の直径Ｄを１．０ｍｍ≦Ｄ≦６．０ｍｍの範囲に設定した構成としている。望ましくは、横断面の直径ＤをＤ＝２．０ｍｍ〜５．０ｍｍに設定している。
横断面の直径が１．０ｍｍより小さいと弾性強度が弱くなるとともに、括れ部に装着したときに包皮の余剰部分がリングを乗り越えて亀頭側に移動してしまうので仮性包茎の矯正が確実に行なわれなくなることがある。また、横断面の直径が６．０ｍｍよりも大きいと弾性力が強くなりすぎて装着時に違和感を覚えることがある。
【００１４】
更に、必要に応じ、ニトリルゴム，シリコンゴム，フッ素ゴム，スチレンブタジエンゴムの少なくとも何れかから選択される材質で構成している。
男性器に装着するリングを構成する材質として最適である。
【発明の効果】
【００１５】
本発明の男性器装着リングによれば、男性器の太さに対応した内径のリングを手で若干拡径させて亀頭側から挿通させ、男性器の根元部から亀頭基部の括れ部までの間の任意の位置に装着させると、横断面円形なので、リングが下着等に接触しても抵抗が小さく、そのため、男性器の根元部から亀頭基部の括れ部までの間の任意の位置に装着しても装着時に違和感があまりない。更に、男性器の根元部から亀頭基部の括れ部までの間の任意の位置に装着リングを装着することができることから、男性器を常時適度に締め付けて男性器の血流を変化させることができ、そのため、男性器を全体的に長さや太さの向上を図ることができる。特に、男性器の根元部近傍に装着すると、男性器全体の血流を変化させることができるので、より一層、男性器を全体的に長さや太さの向上を図ることができる。また、装着した位置より亀頭側の血流が変化することから、装着する位置を調節することによって男性器を所望の長さや太さにすることができる。
【図面の簡単な説明】
【００１６】
【図１】本発明の実施の形態に係る男性器装着リングを示し、（ａ）は正面図、（ｂ）はＡ−Ａ線視断面図である。
【図２】本発明の実施の形態に係る男性器装着リングを、その使用状態で示す斜視図である。
【図３】本発明の実施の形態に係る男性器装着リングを、その使用状態で示す側面図である。
【図４】従来の男性器装着リングの一例を示し、（ａ）は使用状態で示す側面図、（ｂ）は側面断面図である。
【発明を実施するための形態】
【００１７】
以下、添付図面に基づいて本発明の実施の形態に係る男性器装着リングを説明する。
図１乃至図３には、本発明の実施の形態に係る男性器装着リングＳを示している。本実施の形態では、男性器１が通常時（非勃起時）で直径２８．０ｍｍの太さの装着者に男性器装着リングＳを７つ装着する場合について説明する。詳しくは、７つの男性器装着リングＳを、男性器１の根元部２に２つ、根元部２と亀頭基部の括れ部３との中間部４に１つ、亀頭基部の括れ部３に４つ装着する場合について説明する。
【００１８】
本男性器装着リングＳは、横断面円形のリング状で弾性変形可能に形成されている。このリングＳは、男性器１の根元部２から亀頭基部の括れ部３までの間に嵌着されて男性器１を弾性力で締め付け可能に構成されている。
【００１９】
本男性器装着リングＳは、横断面の直径Ｄが１．０ｍｍ≦Ｄ≦６．０ｍｍの範囲に設定されたニトリルゴムで構成されており、その内径φは１０．０ｍｍ≦φ≦５０．０ｍｍの範囲に設定されている。望ましくは、横断面の直径ＤをＤ＝２．０ｍｍ〜５．０ｍｍに設定し、内径φを１５．０ｍｍ≦φ≦３５．０ｍｍの範囲に設定している。装着者によって男性器１の太さが異なるが、リングＳの内径φを上記の範囲に設定することにより、装着者の男性器１に対応した内径φのリングＳを選択して使用することができる。そのため、装着時のフィット感が向上する。
【００２０】
詳しくは、７つのリングＳは全て直径Ｄ＝２．０ｍｍ〜５．０ｍｍの範囲に設定されており、男性器１の根元部２に装着される２つの根元リング１０として内径φが２６．０ｍｍのものを選択し、男性器１の中間部４に装着される１つの中間リング１１として内径φが２８．０ｍｍのものを選択し、男性器１の亀頭基部の括れ部３に装着される４つの先端リング１２として内径φが亀頭５側から順に２６．０ｍｍ、２７．０ｍｍ、２７．０ｍｍ、２８．０ｍｍのものを選択している。
【００２１】
従って、この実施の形態に係る男性器装着リングＳを男性器１に装着するときは、男性器１が通常時（非勃起時）のときに、先ず、１つの根元リング１０を手で若干拡径させて亀頭５側から挿通させ、男性器１の根元部２に嵌着させて装着させる。次に、もう１つの根元リング１０を同様にして装着させる。それから、中間リング１１を手で若干拡径させて亀頭５側から挿通させ、男性器１の中間部４に装着させる。その後、内径φが２８．０ｍｍの先端リング１２を手で若干拡径させて亀頭５側から挿通させ、中間リング１１から離間させて男性器１の括れ部３近傍に装着させ、続いて内径φが２７．０ｍｍの先端リング１２を同様にして２つ装着させ、最後に２６．０ｍｍの先端リング１２を同様にして装着させる。このようにして、男性器１の根元部２から亀頭基部の括れ部３までの間の任意の位置に複数のリングＳを装着する。このとき、男性器１が仮性包茎の場合は手で亀頭５を覆う包皮６を根元部２側に移動させてから装着する。
【００２２】
この場合、男性器装着リングＳが男性器１を適度な弾性力で締め付けるようになるので、手で外さない限り容易に外れることがなく、そのため、常時装着しておくことができる。また、横断面円形なので、リングＳが下着等に接触しても抵抗が小さく、そのため、男性器１の根元部２から亀頭基部の括れ部３までの間の任意の位置に装着しても装着時に違和感があまりない。更に、先端リング１２により包皮６の余剰部分がリングＳを乗り越えて亀頭５側に移動するのを阻止するので仮性包茎を矯正することが可能となる。即ち、リングＳを常時装着しておくだけで、手術をしなくても仮性包茎を矯正することができる。
【００２３】
また、包皮６が亀頭５側に移動するのを阻止するので、包皮６と亀頭５との接触が回避され、亀頭５が常時露出した状態になるので、括れ部３に溜まる汗や尿の量が低減される。そのため、括れ部３での細菌増殖や悪臭発生を軽減させることができ、それだけ、男性器１を清潔に維持することができる。
【００２４】
更に、男性器１の根元部２から亀頭基部の括れ部３までの間の任意の位置に装着リングＳを装着することができることから、男性器１を常時適度に締め付けて男性器１の血流を変化させることができ、そのため、男性器１を全体的に長さや太さの向上を図ることができる。特に、男性器１の根元部２近傍に装着すると、男性器１全体の血流を変化させることができるので、根元リング１０により、より一層男性器１を全体的に長さや太さの向上を図ることができる。また、装着した位置より亀頭５側の血流が変化することから、複数の男性器装着リングＳを装着する位置を調節することによって男性器１を所望の長さや太さにすることができる。
【００２５】
更にまた、男性器１の血流が変化するので、男性器１の勃起時の固さを向上させることができる。また、男性器１を適度な弾性力で締め付けるので、性交時の早漏等を改善することができる。更に、性交時には男性器１に装着したリングＳが女性器に接触して刺激するので女性に性的快感を与えることができる。
【００２６】
また、本男性器装着リングＳはニトリルゴムで形成されており、ニトリルゴムは耐油性、耐摩耗性、引き裂き強度に優れた合成ゴムであるので、男性器１に装着するリングＳを構成する材質として最適であるとともに、リングＳを常時装着したり拡径及び縮径を繰り返したりしても劣化しづらく、そのため、長期間使用することができる。
【００２７】
更に、横断面の直径Ｄが１．０ｍｍより小さいと弾性強度が弱くなるとともに括れ部３に装着したときに包皮６の余剰部分がリングＳを乗り越えて亀頭５側に移動してしまうので仮性包茎の矯正が確実に行なわれなくなることがあり、横断面の直径が６．０ｍｍよりも大きいと弾性力が強くなりすぎて装着時に違和感を覚えることがあるが、本実施の形態においては、直径Ｄを１．０ｍｍ≦Ｄ≦６．０ｍｍの範囲に設定しているので違和感なく装着でき、適度に男性器１を締め付けるとともに、確実に仮性包茎の矯正を行なうことができる。
【００２８】
尚、上記実施の形態において、リングＳを男性器１に７つ装着したが、必ずしもこれに限定されるものではなく、幾つ装着しても良く、適宜変更して差支えない。
また、上記実施の形態において、男性器１の根元部２に２つの根元リング１０を装着し、男性器１の中間部４に１つの中間リング１１を装着し、男性器１の亀頭基部の括れ部３に４つの先端リング１２を装着したが、必ずしもこれに限定されるものではなく、男性器１の根元部２から亀頭基部の括れ部３までの間であれば、どの位置に幾つのリングＳを装着しても良く、適宜変更して差支えない。
【符号の説明】
【００２９】
Ｓ  男性器装着リング
１  男性器
２  根元部
３  括れ部
４  中間部
５  亀頭
６  包皮
１０  根元リング
１１  中間リング
１２  先端リング
【図１】
2011240065.tif 000003
【図２】
2011240065.tif 000004
【図３】
2011240065.tif 000005
【図４】
2011240065.tif 000006